(57)【要約】【課題】システムを構成する各電子音楽装置に対して簡単かつ任意にＩＤを付与する。【解決手段】この電子音楽システムでは、ユーザにより、ネットワークＣＮで接続された複数の電子音楽装置ＥＭ１〜ＥＭ５の夫々に、順次、ＩＤカウンタＣＴを備えた可搬メディアＭＭを装着／接続（接触）／接近させ、各電子音楽装置ＥＭに可搬メディアＭＭを認識させると、可搬メディアＭＭから取得したＩＤカウンタ値が当該電子音楽装置の機器ＩＤとして登録され、機器ＩＤとして登録される可搬メディアＭＭのＣＴ値は、各電子音楽装置ＥＭに機器ＩＤが登録される毎にカウントアップ更新される（第１実施形態）。或いは、ＩＤカード（物体）や生体等の認証体ＡＵを各電子音楽装置ＥＭに順次接近させ、ユーザについて物体／生体認証が行われる毎に、付与済み機器ＩＤからカウントアップ更新された機器ＩＤが各電子音楽装置ＥＭに登録される（第２実施形態）。【選択図】図１
2010160180.tif 000002
【特許請求の範囲】
【請求項１】
ネットワークで接続された複数の電子音楽装置から成る電子音楽システムであって、
各電子音楽装置は、
ＩＤカウンタを有する可搬メディアを認識する可搬メディア認識手段と、
可搬メディア認識手段により可搬メディアが認識されたことに応じて該可搬メディアからＩＤカウンタの値を取得するＩＤ取得手段と、
ＩＤ取得手段により取得されたＩＤカウンタの値を、この電子音楽システムにおいて当該電子音楽装置のＩＤを示す機器ＩＤとして登録するＩＤ登録手段と、
ＩＤ登録手段により登録された機器ＩＤに基づいて、機器ＩＤが登録された他の電子音楽装置との間で、音楽情報に関する制御を行う制御手段と
を具備し、
可搬メディアのＩＤカウンタは、各電子音楽装置に機器ＩＤが登録される毎に値が更新される
ことを特徴とする電子音楽システム。
【請求項２】
ネットワークで接続された複数の電子音楽装置から成る電子音楽システムであって、
各電子音楽装置は、
予め登録された認証用基準情報に基づいて、ユーザに関する物体認証乃至生体認証を行う認証手段と、
認証手段によりユーザに関する認証がなされたことに応じて、この電子音楽システムにおいて夫々の電子音楽装置のＩＤを示す機器ＩＤの付与状況を他の電子音楽装置に問い合わせ、当該他の電子音楽装置における機器ＩＤの付与状況を取得する付与状況取得手段と、
付与状況取得手段により取得された他の電子音楽装置の機器ＩＤ付与状況に基づいて、当該電子音楽装置の機器ＩＤを登録するＩＤ登録手段と、
ＩＤ登録手段により登録された機器ＩＤに基づいて、機器ＩＤが登録された他の電子音楽装置との間で、音楽情報に関する制御を行う制御手段と
を具備する
ことを特徴とする電子音楽システム。
【請求項３】
各電子音楽装置に登録された機器ＩＤのうち、特定の機器ＩＤはマスター装置を規定するものであり、その他の機器ＩＤはスレーブ装置を規定するものであることを特徴とする請求項１又は２に記載の電子音楽システム。
【発明の詳細な説明】
【技術分野】
【０００１】
この発明は、ネットワークで接続された複数の電子音楽装置で構成される電子音楽システムに関する。
【背景技術】
【０００２】
従来より、電子楽器やシーケンサ、音源装置等の複数の電子音楽装置をネットワークで接続し、各電子音楽装置間で情報のやり取りをする電子音楽システムがある。例えば、ＩＥＥＥ１３９４規格に沿った電子音楽装置では、各装置（ノード）の電源が投入されたり、各装置がバスに接続されたりすると、バスリセットが発生し、その後、自動的に各装置が「枝（Branch）」、「葉（Leaf）」「孤立」の何れであるかが判断され、何れかが「ルート（Root）」として決定され、各装置のｓｅｌｆ−ＩＤが決定される。このように、ＩＥＥＥ１３９４機器では、自動的にＩＤなどが決まる。なお、このようなＩＥＥＥ１３９４規格に関する技術については、例えば、非特許文献１を参考にされたい。
【先行技術文献】
【非特許文献】
【０００３】
【非特許文献１】平成１２年５月２５日（第２版）発行「最新技術解説  改訂新版入門ＩＥＥＥ１３９４規格」（稲田元彦著  技術評論社）［第１００〜１０５頁：「２．６．１  コンフィグレーション」］
【０００４】
複数の電子音楽装置のうちの何れかをマスター装置、残りをスレーブ装置として設定し、マスター装置の制御の下にスレーブ装置が動作するようにシステムを構築したり、各スレーブ装置に固有の識別情報（ＩＤ）を設定し、マスター装置から各スレーブ装置をこの識別情報（ＩＤ）で識別できるようにシステムを構築したいことがある。そして、マスター装置をどの電子音楽装置にするか、各スレーブ装置に対してどの識別情報（ＩＤ）を付与するか、等をユーザが自由に決めたいことがある。
【０００５】
しかしながら、上述したＩＥＥＥ１３９４規格に沿った電子音楽装置では、これらが自動的に決定されてしまい、ユーザの自由にならない。
【発明の概要】
【発明が解決しようとする課題】
【０００６】
この発明は、このような事情に鑑み、ネットワークで接続されシステムを構成する各電子音楽装置に対して、ユーザにより簡単かつ任意にＩＤを付与することができる電子音楽システムを提供することを目的とする。
【課題を解決するための手段】
【０００７】
この発明の第１の特徴に従うと、ネットワーク（ＣＮ）で接続された複数の電子音楽装置（ＥＭ：ＥＭ１〜ＥＭ５）から成る電子音楽システムであって、各電子音楽装置（ＥＭ）は、ＩＤカウンタ（ＣＴ）を有する可搬メディア（ＭＭ）を認識する可搬メディア認識手段（Ｐ１，Ｑ１）と、可搬メディア認識手段により可搬メディアが認識されたこと（Ｐ１＝ＹＥＳ，Ｑ１＝ＹＥＳ）に応じて該可搬メディア（ＭＭ）からＩＤカウンタ（ＣＴ）の値を取得するＩＤ取得手段（Ｐ２，Ｑ２〜Ｑ３）と、ＩＤ取得手段により取得されたＩＤカウンタ（ＣＴ）の値を、この電子音楽システムにおいて当該電子音楽装置のＩＤを示す機器ＩＤとして登録するＩＤ登録手段（Ｐ３，Ｑ３）と、ＩＤ登録手段により登録された機器ＩＤに基づいて、機器ＩＤが登録された他の電子音楽装置との間で、音楽情報に関する制御を行う制御手段とを具備し、可搬メディア（ＭＭ）のＩＤカウンタ（ＣＴ）は、各電子音楽装置（ＥＭ）に機器ＩＤが登録される毎に値が更新される（Ｐ４，Ｍ２）電子音楽システム〔請求項１〕が提供される。なお、括弧書きは、実施例の参照記号や箇所等を表わし、以下においても同様である。
【０００８】
この発明の第２の特徴に従うと、ネットワーク（ＣＮ）で接続された複数の電子音楽装置（ＥＭ：ＥＭ１〜ＥＭ５；ＥＭａ，ＥＭｅ）から成る電子音楽システムであって、各電子音楽装置（ＥＭａ）は、予め登録された認証用基準情報に基づいて、ユーザに関する物体認証乃至生体認証を行う認証手段（Ａ１〜Ａ４）と、認証手段によりユーザに関する認証がなされたこと（Ａ４＝ＹＥＳ）に応じて、この電子音楽システムにおいて夫々の電子音楽装置（ＥＭ）のＩＤを示す機器ＩＤの付与状況を他の電子音楽装置（ＥＭｅ）に問い合わせ、当該他の電子音楽装置（ＥＭｅ）における機器ＩＤの付与状況を取得する付与状況取得手段（Ａ５〜Ａ６）と、付与状況取得手段により取得された他の電子音楽装置（ＥＭｅ）の機器ＩＤ付与状況に基づいて、当該電子音楽装置（ＥＭａ）の機器ＩＤを登録するＩＤ登録手段（Ａ６）と、ＩＤ登録手段により登録された機器ＩＤに基づいて、機器ＩＤが登録された他の電子音楽装置（ＥＭｅ）との間で、音楽情報に関する制御を行う制御手段とを具備する電子音楽システム〔請求項２〕が提供される。
【０００９】
また、この発明による電子音楽システムにおいて、各電子音楽装置（ＥＭ：ＥＭ１〜ＥＭ５）に登録された機器ＩＤのうち、特定の機器ＩＤはマスター装置を規定するものであり、その他の機器ＩＤはスレーブ装置を規定するものである〔請求項３〕ように構成することができる。
【発明の効果】
【００１０】
この発明の第１の特徴による電子音楽システム（請求項１）では、ネットワーク（ＣＮ）で接続されシステムを構成する複数の電子音楽装置（ＥＭ：ＥＭ１〜ＥＭ５）に夫々の機器ＩＤを付与する際は、ユーザにより、これら電子音楽装置（ＥＭ）の夫々に、順次、ＩＤカウンタ（ＣＴ）を有する可搬メディア（ＭＭ）が装着／接続（接触）／接近される。各電子音楽装置（ＥＭ）は、装着／接続（接触）／接近された可搬メディア（ＭＭ）を認識すると（Ｐ１＝ＹＥＳ，Ｑ１＝ＹＥＳ）、可搬メディア（ＭＭ）から取得したＩＤカウンタ（ＣＴ）の値を、この電子音楽システムにおいてユニークな当該電子音楽装置のＩＤを示す機器ＩＤとして登録し（Ｐ２〜Ｐ３，Ｑ２〜Ｑ３）、可搬メディア（ＭＭ）のＩＤカウンタ（ＣＴ）については、各電子音楽装置（ＥＭ）に機器ＩＤが登録される毎にカウントアップされ、カウント値が更新される（Ｐ４，Ｍ２）。つまり、或る電子音楽装置で可搬メディア（ＭＭ）が認識されて機器ＩＤが登録されるとＩＤカウンタ（ＣＴ）の値が更新され、次の電子音楽装置（ＥＭ）で可搬メディア（ＭＭ）が認識されると、更新されたＩＤカウンタ（ＣＴ）の値が、次の電子音楽装置（ＥＭ）に機器ＩＤとして登録されると共にさらに更新される。これを繰り返すことで各電子音楽装置（ＥＭ）に夫々の機器ＩＤを登録することができ、システム内の各電子音楽装置（ＥＭ）間では、登録された機器ＩＤに基づいて音楽情報に関する制御を相互に行うことができる。従って、この発明によれば、ネットワークで接続され電子音楽システムを構成する複数の電子音楽装置の夫々に対して、ユーザが物理的にアプローチするだけで、簡単かつ任意に、システム内においてユニークな夫々の機器ＩＤを付与することができる。
【００１１】
この発明の第２の特徴による電子音楽システム（請求項２）では、ネットワーク（ＣＮ）で接続されシステムを構成する複数の電子音楽装置（ＥＭ：ＥＭ１〜ＥＭ５；ＥＭａ，ＥＭｅ）に夫々の機器ＩＤを付与する際に、順次、これら電子音楽装置（ＥＭ）の夫々においてユーザに関する物体認証乃至生体認証が行われる。各電子音楽装置（ＥＭａ）は、例えば、ユーザが所有するＩＤカードやユーザの指を近接する等の方法で、ユーザに関する物体情報乃至生体情報（ＩＤや指紋など）が入力されると、予め登録された認証用基準情報に基づいて物体認証乃至生体認証処理を行う（Ａ１〜Ａ４）。認証が成功すると（Ａ４＝ＹＥＳ）、この電子音楽システムにおいて夫々の電子音楽装置（ＥＭ）のＩＤを示す機器ＩＤの付与状況を他の電子音楽装置（ＥＭｅ）に問い合わせ、当該他の電子音楽装置（ＥＭｅ）における機器ＩＤの付与状況を取得する（Ａ５〜Ａ６）。そして、取得した他の電子音楽装置（ＥＭｅ）の機器ＩＤ付与状況に基づいて、既に付与されている機器ＩＤの値に対してカウントアップした値を当該電子音楽装置（ＥＭａ）の機器ＩＤとして登録する（Ａ６）。このようなＩＤ付与手順を或る電子音楽装置（ＥＭＡ）から次の電子音楽装置（ＥＭＢ）へと順次繰り返すことで各電子音楽装置（ＥＭ）に夫々の機器ＩＤを登録することができ、システム内の各電子音楽装置（ＥＭ）間では、登録された機器ＩＤに基づいて音楽情報に関する制御を相互に行うことができる。従って、この発明によれば、ネットワークで接続されシステムを構成する複数の電子音楽装置の夫々に対して、ユーザが物理的にアプローチするだけで、簡単かつ任意に、システム内でユニークな夫々の機器ＩＤを付与することができる。
【００１２】
また、この発明による電子音楽システムにおいて、各電子音楽装置（ＥＭ：ＥＭ１〜ＥＭ５）に登録された機器ＩＤのうち、特定の値を持つ機器ＩＤが付与された電子音楽装置は、マスター装置として機能し、その他の値を持つ機器ＩＤが付与された電子音楽装置は、スレーブ装置として機能するように設定される（請求項３）。従って、この発明によれば、さらに、各電子音楽装置に対して、ユーザにより簡単かつ任意に、所定の値を持つ機器ＩＤを付与し、マスター及びスレーブ機能を割り当てることができる。
【図面の簡単な説明】
【００１３】
【図１】この発明の一実施例による電子音楽システム構成例の説明図である。
【図２】この発明の第１実施形態による機器ＩＤ付与態様の説明図の一部である。
【図３】この発明の第１実施形態による機器ＩＤ付与態様の説明図の他部である。
【図４】この発明の第２実施形態による機器ＩＤの付与例を示す図である。
【図５】この発明の第２実施形態による機器ＩＤ付与の手順例を示す図である。
【図６】この発明の第２実施形態による機器ＩＤ付与処理の動作例を表わすフローチャートである。
【発明を実施するための形態】
【００１４】
〔システム構成の概要〕
図１は、この発明の一実施例による電子音楽システムのシステム構成を説明するための図であり、図１（１）は、この電子音楽システムを構成する電子音楽装置ＥＭａのハードウエア構成例を示すブロック図である。この発明の一実施例による電子音楽システムを構成する電子音楽装置は、電子的な音楽情報処理機能を有する一種のコンピュータであり、電子楽器やシーケンサのような音楽専用機器が用いられるが、音楽情報処理アプリケーションがインストールされたパーソナルコンピュータ（ＰＣ）のように、音楽専用機器と同じ音楽情報処理機能が付与された汎用の情報処理装置を用いることもできる。
【００１５】
この電子音楽装置ＥＭａは、図１（１）に示すように、中央処理装置（ＣＰＵ）１、ランダムアクセスメモリ（ＲＡＭ）２、読出専用メモリ（ＲＯＭ）３、記憶装置４、演奏操作検出回路５、設定操作検出回路６、表示回路７、音源・効果回路８、通信インターフェース（Ｉ／Ｆ）９、ＵＳＢインターフェース（Ｉ／Ｆ）１０、物体／生体情報入力回路１１などを備え、これらの要素１〜１１はバス１２を介して互いに接続される。
【００１６】
ＣＰＵ１は、ＲＡＭ２及ＲＯＭ３と共にデータ処理部を構成し、機器ＩＤ付与プログラムを含む所定の制御プログラムに従い、タイマによるクロックを利用して機器ＩＤ付与処理を含む種々の情報処理を実行する。ＲＡＭ２は、これらの処理に際して必要なデータを利用可能に保持するための記憶管理領域や各種データを一時記憶するためのワーク領域として用いられ、また、ＲＯＭ３には、これらの処理を実行するために、機器ＩＤ付与プログラムを含む各種制御プログラムやプリセットされたデータ等が予め記憶される。
【００１７】
記憶装置４は、ＨＤ（ハードディスク）、ＦＤ（フレキシブルディスク）、ＣＤ（コンパクトディスク）、ＤＶＤ（デジタル多目的ディスク）、フラッシュメモリなどの半導体メモリなどの記憶媒体と、その駆動装置を含み、任意の制御プログラムや自動演奏データ等を任意の記憶媒体に記憶することができる。また、記憶媒体は、着脱可能であってもよいし、電子音楽装置に内蔵されていてもよい。例えば、内蔵のＨＤ又はフラッシュメモリに基準情報記憶領域や機器ＩＤ記憶領域を設け、基準情報記憶領域には、予め、この電子音楽システムを利用するユーザ毎に、他の電子音楽装置（ＥＭｅ）と共通に、当該ユーザの認証に必要な認証用基準情報（認証用照合情報ともいう）を登録しておいたり、機器ＩＤ記憶領域には、新たに付与された機器ＩＤを記憶しておくことができる。また、ＦＤ等の着脱可能な記憶媒体は、後述するように、この電子音楽装置ＥＭａにシステム構成上の機器ＩＤを付与するための可搬メディア（ＭＭ）として用いることができる。
【００１８】
演奏操作検出回路５は、鍵盤などの演奏操作子１３と共に演奏操作部を構成し、演奏操作子１３の演奏操作を検出して検出内容に対応する演奏操作情報をデータ処理部（１〜３）に導入し、データ処理部は、この演奏操作情報に基づき実演奏情報を生成して音源・効果回路８に送る。設定操作検出回路６は、スイッチやマウス等の設定操作子（パネル操作子）１４と共に設定操作部（パネル操作部）を構成し、設定操作子１４の操作内容を検出して検出内容に対応する設定操作情報をデータ処理部に導入し、データ処理部は、この設定操作情報に基づき種々の設定を行う。表示回路７は、演奏や設定に必要な各種画面を表示するＬＣＤ等のディスプレイ１５や、インジケータ／ランプ（図示せず）を備え、これらの表示・点灯内容をデータ処理部からの指令に従って制御し、演奏操作や設定操作などに関する表示援助を行う。例えば、ディスプレイ１５の画面には、電子音楽システムを構成するこの電子音楽装置ＥＭａや他の電子音楽装置（ＥＭｅ）について、機器ＩＤを含むシステムの機器構成に関する情報を表示することができる。
【００１９】
音源・効果回路８は、音源やＤＳＰを有し、演奏操作検出回路５からの演奏操作情報から得られる実演奏情報に基づく楽音信号を生成したり、ＲＯＭ３又は記憶装置４或いは通信Ｉ／Ｆ９から得られる自動演奏データに基づく楽音信号を生成すると共に、生成される楽音信号に所定の効果を付与する。サウンドシステム１６は、Ｄ／Ａ変換部やアンプ、スピーカ等を備え、音源・効果回路８から出力される楽音信号に基づく楽音を発生する。
【００２０】
通信Ｉ／Ｆ９は、ＭＩＤＩ等の音楽専用有線Ｉ／Ｆ、ＩＥＥＥ１３９４等の汎用近距離有線Ｉ／Ｆ、Ｅｔｈｅｒｎｅｔ（登録商標）等の汎用ネットワークＩ／Ｆ、無線ＬａｎやＢｌｕｅｔｏｏｔｈ（登録商標）等の汎用近距離無線Ｉ／Ｆなどの１又は複数を含み、他の音楽機器との間でＭＩＤＩ演奏データを授受したり、サーバコンピュータ等の外部機器から制御プログラムやデータ等を受信し記憶装置４に保存することができる。また、図示のように、ネットワークＣＮを介して、この電子音楽システムを構成し得る１乃至複数の他の電子音楽装置ＥＭｅが接続される。
【００２１】
ＵＳＢＩ／Ｆ１０は、汎用近距離有線Ｉ／ＦのうちＵＳＢＩ／Ｆを通信Ｉ／Ｆ９とは別個に図示したものであり、ＵＳＢＩ／Ｆ１０に接続された外部機器との間で、通信Ｉ／Ｆ９と同様に、外部ＵＳＢ機器と種々の情報授受を行うことができる。また、ＵＳＢＩ／Ｆ１０の接続スロットにはＵＳＢメモリの装着（接続）が可能であり、このＵＳＢメモリは、「可搬メディアＭＭ」で示されるように、前述した着脱可能な記憶媒体と同様に、この電子音楽装置ＥＭａにシステム構成上の機器ＩＤを付与するのに利用することができる。
【００２２】
物体／生体情報入力回路１１は、このシステムを利用するユーザに関する認証を行うために設けられた情報入力回路であり、ユーザに帰属する物体／生体情報を回路１１から入力し、これが認証されると、この電子音楽装置ＥＭａにシステム上の機器ＩＤが付与される。情報入力回路１１は、具体的には、ユーザの所有するＩＤカード（物体）から、接触及び／又は非接触状態で、カード（物体）に記録されているＩＤ情報を読み取る物体情報読取り回路や、ユーザ自身の生体部から、指紋／静脈／虹彩などのユーザ個人に特有の特徴的な生体情報を読み取る生体情報読取り回路で構成することができ、実際には、これらＩＤ情報や特徴的生体情報の何れか１乃至複数を読み取る回路を備える。図示される「認証体ＡＵ」は、このような物体情報や生体情報の検出対象となるＩＤカードやユーザ生体部を表わす。ＩＤカードについては、ユニークなＩＤを記録した「ＩＣタグ」と呼ばれるＩＣチップが埋め込まれた非接触型のユニークＩＤ付きカードを用いると、物体情報読取り部に近付けるだけでユニークなＩＤを入力することができるメリットがある。なお、後述する第１実施形態では、かかる物体／生体情報入力回路１１は不要である。
【００２３】
電子音楽装置ＥＭ（記号“ＥＭ”は電子音楽装置を代表的に表わす）の形態としては、図１（１）のように演奏操作部１３−５及び音源・効果回路８の双方を備えた電子楽器の外に、演奏操作部（１３−５）が搭載されていない音源装置、音源・効果回路（８）が搭載されていない鍵盤装置、「ＤＡＷ (Digital Audio Workstation)」と呼ばれる音楽アプリケーション（主としてシーケンサ機能）をＰＣに搭載したＤＡＷ装置、任意の機器から入力されるオーディオデータを混合して任意の機器に出力するミキサー装置、任意の機器で生成された音楽データを記録するレコーダ装置、等々、種々の種類の形態があり得る。そして、これらの電子音楽装置が、上述した有線又は無線のネットワークＣＮを介して互いに接続され、例えば、図１（２）に示すように、全体で１つの電子音楽装置として機能する電子音楽システム（電子音楽装置システムとも言う）を構築している。
【００２４】
図１（２）は、複数の電子音楽装置から成る電子音楽システムの構成例を示す。この構成例では、５台の電子音楽装置ＥＭ１〜ＥＭ５が電子音楽システムの構成要素となり、第１電子音楽装置ＥＭ１にはＤＡＷ装置（ＰＣ＋音楽アプリケーション）が用いられ、第２電子音楽装置ＥＭ２には電子楽器が用いられ、第３電子音楽装置ＥＭ３には音源装置が用いられ、第４電子音楽装置ＥＭ４にはミキサー装置が用いられ、第５電子音楽装置ＥＭ５にはレコーダ装置が用いられている。
【００２５】
各電子音楽装置ＥＭ１〜ＥＭ５には、機器ＩＤ付与処理によってこの電子音楽システムにおいてユニークな夫々の機器ＩＤが付与され、付与された機器ＩＤは、夫々の機器ＩＤ記憶領域に記録され、以後の音楽情報処理の際に夫々の電子音楽装置を指示するのに用いられる。この場合、電子音楽装置ＥＭ１〜ＥＭ５は、付与された機器ＩＤの値に従い、１つの電子音楽装置がマスター装置となり、残りの電子音楽装置がスレーブ装置となる。
【００２６】
マスター装置及びスレーブ装置としての制御機能には、次のようなものがある：
（１）マスター装置は、スレーブ装置に対して各種命令をする。
（２）マスター装置は、各スレーブ装置へとクロックを提供する等により、動作の基準となる。
（３）複数の電子音楽装置の間で情報のやり取りをする際に、必ず、マスター装置からスレーブ装置へと問い合わせを出し、スレーブ装置はそれに応答する形を取る。
【００２７】
また、スレーブ装置に付与された機器ＩＤは次のような制御に利用することができる：
（１）例えば，複数のスレーブ装置がネットワーク上に同時に情報を流そうとしたとき、機器ＩＤの値が小さい装置が優先されるなど、動作の優先順位を定義する。
（２）マスター装置から特定のスレーブ装置に命令をする際に、機器ＩＤにより命令すべき装置を特定する。
（３）マスター装置が各スレーブ装置の名称を表示する際に、機器ＩＤ付き名称とする。
【００２８】
なお、この電子音楽システムは、機器ＩＤが付与された電子音楽装置で構成され、ユーザにより任意に付与された機器ＩＤの値に従って、任意の電子音楽装置がマスター装置となり得るので、各電子音楽装置ＥＭ：ＥＭａ，ＥＭｅ；ＥＭ１〜ＥＭ５は、予め、上述のようなマスター装置及びスレーブ装置として振る舞い得る機能を有している。
【００２９】
この発明の一実施例による電子音楽システムでは、ネットワークＣＮで接続された各電子音楽装置ＥＭ１〜ＥＭ５に対して第１実施形態又は第２実施形態で機器ＩＤを付与することができる。第１実施形態では、ＩＤカウンタＣＴが含まれるＩＤ付与用可搬メディアＭＭを各電子音楽装置ＥＭ１〜ＥＭ５のメディア検出部に装着したり近付ける等により、各電子音楽装置ＥＭ１〜ＥＭ５に認識させ、認識させた順に機器ＩＤを付与する。この場合、各電子音楽装置ＥＭ１〜ＥＭ５には、認識された順番に対応する値の機器ＩＤが付与され、最初に可搬メディアＭＭを認識して特定の機器ＩＤが付与された電子音楽装置は、マスター装置として設定され、その後の認識により他の機器ＩＤが付与された電子音楽装置は、スレーブ装置に設定され、その機器ＩＤに従って順位付けされる。
【００３０】
ＩＤ付与用可搬メディアＭＭには、前述したＦＤのような着脱可能記憶媒体（４）やＵＳＢメモリの外に、接触型又は非接触型のＩＣカード等、カウンタＣＴ及び記憶機能を有し得る任意の可搬メディアを用いることができ、ＩＣカード等を用いる場合は、各電子音楽装置ＥＭには、ＩＣカード等と情報授受を行うためのインターフェース（Ｉ／Ｆ）が設けられる。ＩＤ付与用可搬メディアＭＭは、何れのタイプのメディアでも、認識の度にカウントアップされるＩＤの値を保持する記憶回路を有しており、この記憶回路は「ＩＤカウンタ」と呼ばれる。また、ＩＤ付与用可搬メディアＭＭには、メディア自体でカウントアップ等の演算制御を行う演算制御回路を内蔵した能動的な可搬メディア（演算制御機能付き記憶メディアという）を用いることもできるが、このような演算制御回路を持たず、装置側でカウントアップ等の演算制御がなされた結果をＩＤカウンタでＩＤ値として保持するだけの受動的な可搬メディア（単なる記憶メディアという）を用いてもよい。
【００３１】
一方、第２実施形態では、ネットワークＣＮで接続された各電子音楽装置ＥＭ１〜ＥＭ５の認証体検出部に認証体（ＩＤカード等の物体或いはユーザの指等の生体部）ＡＵを近接することにより、各電子音楽装置ＥＭ１〜ＥＭ５で物体認証（ＩＤカード等のＩＤ入力による）或いは生体認証〔ユーザの特徴的生体情報（指紋情報など）の入力による〕を行わせ、認証させた順に機器ＩＤを付与する。新たに認証した電子音楽装置には、各電子音楽装置ＥＭ１〜ＥＭ５間で機器ＩＤの情報交換を行い、既に付与されている機器ＩＤに対してカウントアップした機器ＩＤが付与される。この場合も、各電子音楽装置ＥＭ１〜ＥＭ５には、認証された順番に対応する値の機器ＩＤが付与され、最初に認証体ＡＵから物体乃至生体認証を行って特定の機器ＩＤが付与された電子音楽装置は、マスター装置として設定され、その後の物体乃至生体認証により他の機器ＩＤが付与された電子音楽装置は、スレーブ装置に設定され、その機器ＩＤに従って順位付けされる。
【００３２】
以上のように、この発明の一実施例による音楽コンテンツ利用システムの第１実施形態では、ユーザにより、ネットワークＣＮで接続された複数の電子音楽装置ＥＭ：ＥＭ１〜ＥＭ５の夫々に、順次、ＩＤカウンタＣＴを備えた可搬メディアＭＭを装着／接続（接触）／接近させ、各電子音楽装置ＥＭに可搬メディアＭＭを認識させると、可搬メディアＭＭから取得したＩＤカウンタ値（ＣＴ値）が、電子音楽システムにおいて当該電子音楽装置のＩＤを示す機器ＩＤとして登録される。機器ＩＤとして登録される可搬メディアＭＭのＣＴ値は、各電子音楽装置ＥＭに機器ＩＤが登録される毎にカウントアップ更新されるので、各電子音楽装置ＥＭには、ユーザが物理的に順次アプローチするだけで、この電子音楽システム上でユニークな夫々の機器ＩＤを、簡単かつ任意に、所定の順位で付与することができる。また、第２実施形態では、ＩＤカード（物体）や身体（生体）等の認証体ＡＵを各電子音楽装置ＥＭに順次接近させ、このシステムを利用するユーザについて物体／生体認証が行われる毎に、付与済み機器ＩＤからカウントアップ更新された機器ＩＤが各電子音楽装置ＥＭに登録されるので、同様に夫々の機器ＩＤを付与することができる。
【００３３】
〔第１実施形態による機器ＩＤの付与態様〕
図２及び図３は、この発明の第１実施形態による機器ＩＤの付与態様を説明するための図である。図２（１）は、第１実施形態において、図１（２）と同様の機器構成でネットワークＣＮに接続された５台の電子音楽装置ＥＭ１〜ＥＭ５に機器ＩＤを付与する場合の説明図である。第１実施形態では、既述のように、ユーザは、ＩＤカウンタ（カウント値記憶部）ＣＴを内蔵したＵＳＢメモリ等のＩＤ付与用可搬メディアＭＭを使って、可搬メディアＭＭのＩＤカウンタＣＴに記憶されたＩＤデータを各電子音楽装置ＥＭ１〜ＥＭ５に運び、各電子音楽装置では、ＩＤデータに従って機器ＩＤが付与される。ＩＤデータ即ちカウンタＣＴのカウント値（ＣＴ値）は、当初は初期値＝「０」であり、各電子音楽装置ＥＭ１〜ＥＭ５で可搬メディアＭＭの認識がある度に順次カウントアップ更新される。図２（１）の例では、〔１〕→〔２〕→…→〔５〕の順で、各電子音楽装置ＥＭ１〜ＥＭ５に可搬メディアＭＭを認識させ、夫々に機器ＩＤ＝「０」〜「４」を付与していく。
【００３４】
ここで、「認識する」とは、各電子音楽装置ＥＭが可搬メディアＭＭとデータを授受し得る状態になることをいう。例えば、可搬メディアＭＭがＦＤ等の着脱可能な記憶媒体であれば、記憶媒体駆動部に記憶媒体を装着したときに、各電子音楽装置ＥＭがこの記憶媒体とデータ送受可能になることであり、ＵＳＢＩ／Ｆ１０の端子（スロット）にＵＳＢメモリの端子を挿入したときに、このＵＳＢメモリとデータ送受可能になることであり、可搬メディアＭＭが非接触型のＩＣカードであれば、ＩＣカードと交信するＩ／Ｆのリーダー（読取り）部に近付けたときに、このＩＣカードと交信可能になることである。
【００３５】
この付与例では、〔１〕最初に、第１電子音楽装置即ちＤＡＷ装置（ＰＣ＋アプリケーション）ＥＭ１に対して、可搬メディアＭＭを認識させ、ＩＤカウンタＣＴのカウント初期値（ＣＴ値）＝「０」を機器ＩＤとして付与し、マスター装置として機能するように設定すると共に、可搬メディアＭＭのＩＤカウンタＣＴについては「＋１」だけカウントアップさせカウント値（ＣＴ値）＝「１」に更新する。〔２〕次に、第２電子音楽装置即ち電子楽器ＥＭ２に対して、この可搬メディアＭＭを認識させ、そのＣＴ値に従って機器ＩＤ＝「１」を付与し、第１順位のスレーブ装置として機能するように設定すると共に、可搬メディアＭＭのＩＤカウンタＣＴをカウントアップしてＣＴ値＝「２」に更新する。ＩＤカウント値（ＣＴ値）の初期値＝「０」はマスターを意味するものとし、「１」以上のカウント値（ＣＴ値）はスレーブを意味するものとする。〔３〕〜〔５〕以下、同様に、第３〜第５電子音楽装置即ち音源装置ＥＭ３、ミキサー装置ＥＭ４及びレコーダ装置ＥＭ５に対して、順次、可搬メディアＭＭを認識させ、認識の度にカウントアップされるＣＴ値＝「２」〜「４」に従って機器ＩＤを付与し、第２〜第４順位のスレーブ装置として機能するように設定する。従って、カウンタ内蔵の可搬メディア（ＵＳＢメモリなど）ＭＭを各電子音楽装置ＥＭ１〜ＥＭ５に認識させる順に、各電子音楽装置ＥＭ１〜ＥＭ５にそれぞれ機器ＩＤ＝「０」〜「４」を付与する。
【００３６】
ユーザが、電子音楽装置ＥＭに一旦登録された機器ＩＤをリセットをしたくなった場合は、何れかの電子音楽装置ＥＭにおいて、可搬メディアＭＭを認識させた状態で「ＩＤリセット」を指示すると、機器ＩＤが登録されている全ての電子音楽装置ＥＭにリセット指示が送られて機器ＩＤが未付与の状態になると共に、可搬メディアＭＭのＩＤカウンタＣＴ内に保存されているＩＤカウント値も初期値にリセットされる。
【００３７】
ＩＤ付与用可搬メディアＭＭとしては、既に説明したように、カウントアップ等の演算制御機能を有しない単なる記憶メディアを用いることができるが、例えば、ＵＳＢメモリやＩＣカードの場合、各電子音楽装置ＥＭへの応答処理やカウントアップ等の演算制御機能を組み込むことができるので、このような演算制御機能が組み込まれた演算制御機能付き記憶メディアを用いることもできる。単なる記憶メディアを用いる場合と演算制御機能付き記憶メディアを用いる場合でＩＤカウント値の取得・更新態様が異なる。
【００３８】
（１）単なる記憶メディアの場合
第１実施形態において、単なる記憶メディアをＩＤ付与用可搬メディアＭＭに用いた場合は、図２（２）の左側に示すように、可搬メディアＭＭを認識した電子音楽装置ＥＭは、可搬メディアＭＭに対するカウント値の読取り処理によって、可搬メディアＭＭのＩＤカウンタＣＴからカウント値（ＣＴ値）を取得し、取得したＣＴ値で機器ＩＤを設定すると、可搬メディアＭＭに対してＩＤカウンタＣＴのカウント値を書き換える。つまり、単なる記憶メディアの場合、各電子音楽装置ＥＭ１〜ＥＭ５は、可搬メディアＭＭを認識した時点のＩＤカウンタＣＴの値を見て、このＩＤカウント値を自身の機器ＩＤとして記憶装置４の機器ＩＤ記憶領域に登録すると共に、可搬メディアＭＭ内のＩＤカウンタＣＴの値をインクリメントして書き換えておく。
【００３９】
図２（２）の右側に示すフローチャートは、第１実施形態で単なる記憶メディアをＩＤ付与用可搬メディアＭＭに用いた場合における各電子音楽装置ＥＭの機器ＩＤ付与処理フローである。この電子音楽装置ＥＭの各種処理モード待機状態において、設定操作子１４中の機器ＩＤ付与処理モードスイッチが操作されると、ＣＰＵ１は、この機器ＩＤ付与処理を開始し、まず、最初のステップＰ１で、可搬メディアＭＭを認識したか否か、例えば、可搬メディアＭＭが所定のメディア駆動部、メディア接続（接触）部或いはメディア読取り部に、装着、接続（接触）或いは近接した際にデータを授受し得る状態になったか否かを判定する。ここで、可搬メディアＭＭを認識しないときは（Ｐ１＝ＮＯ）、直ちに、この機器ＩＤ付与処理を終了し、元の待機状態にリターンする。
【００４０】
一方、可搬メディアＭＭを認識したときには（Ｐ１＝ＹＥＳ）、まず、ステップＰ２にて、認識された可搬メディアＭＭのＩＤカウンタＣＴ内に保持されているＩＤカウント値を読み取る。続くステップＰ３では、ＩＤカウンタＣＴのＩＤカウント値をこの電子音楽装置ＥＭの機器ＩＤとして記憶装置４内の機器ＩＤ記憶領域に登録し、さらに、次のステップＰ４で、可搬メディアＭＭ内のＩＤカウント値をインクリメントして書き換える。そして、この機器ＩＤ付与処理を終了し、元の待機状態にリターンする。
【００４１】
（２）演算制御機能付き記憶メディアの場合
第２実施形態において、演算制御機能付き記憶メディアをＩＤ付与用可搬メディアＭＭに用いた場合は、図３の上部に示すように、可搬メディアＭＭを認識した電子音楽装置ＥＭは、可搬メディアＭＭにＩＤカウント値（ＣＴ値）を要求して、可搬メディアＭＭから、ＩＤカウンタＣＴのカウント値（ＣＴ値）を取得すると、取得したＣＴ値で機器ＩＤを設定するだけであり、可搬メディアＭＭのＩＤカウンタＣＴにおけるＣＴ値の書換えは、可搬メディアＭＭ内の演算制御部ＯＰにより内部的に行われる。つまり、演算制御機能付き記憶メディアの場合、記憶メディアＭＭの演算制御部ＯＰは、各電子音楽装置ＥＭ１〜ＥＭ５に対して、可搬メディアＭＭを認識した時点のＩＤカウンタＣＴの値を通知し、各電子音楽装置ＥＭ１〜ＥＭ５は、通知されたＩＤカウント値を機器ＩＤとして登録し、可搬メディアＭＭは、演算制御部ＯＰによりＩＤカウンタＣＴの値をインクリメントして書き換えておく。従って、電子音楽装置ＥＭ１〜ＥＭ５側からすると、ＩＤカウント値の要求（Ｑ２）は、ＩＤ書換えの指示も兼ねているということができる。
【００４２】
図３の下部に示すフローチャートは、第１実施形態で演算制御機能付き記憶メディアをＩＤ付与用可搬メディアＭＭに用いた場合における各電子音楽装置ＥＭ側の機器ＩＤ付与処理フロー及び可搬メディアＭＭ側の応答処理フローである。この電子音楽装置ＥＭが各種処理モードを待機している状態で設定操作子１４中の機器ＩＤ付与処理モードスイッチが操作されると、ＣＰＵ１は、この機器ＩＤ付与処理を開始し、まず、最初のステップＱ１で、図２（２）の機器ＩＤ付与処理フローにおけるステップＰ１と同様に、可搬メディアＭＭを認識したか否かを判定する。ここで、可搬メディアＭＭを認識しないときは（Ｑ１＝ＮＯ）、直ちに、この機器ＩＤ付与処理を終了し、元の待機状態にリターンする。
【００４３】
一方、可搬メディアＭＭを認識したときには（Ｑ１＝ＹＥＳ）、まず、ステップＱ２にて、認識された可搬メディアＭＭに、ＩＤカウンタＣＴ内に保持されているＩＤカウント値を要求する。この要求に応じて、可搬メディアＭＭは、この要求に対する応答処理を開始し、最初のステップＭ１では、ＩＤカウンタＣＴのＩＤカウント値を要求元の電子音楽装置ＥＭに返信し、次のステップＭ２では、当該ＩＤカウント値をインクリメントして書き換える。そして、当該電子音楽装置ＥＭに対する応答処理を終了し、次の要求を待機する状態にリターンする。一方、電子音楽装置ＥＭでは、ステップＱ３で、可搬メディアＭＭからのＩＤカウント値を受信し、受信したＩＤカウント値を電子音楽装置ＥＭの機器ＩＤとして記憶装置４内の機器ＩＤ記憶領域に登録する。そして、この機器ＩＤ付与処理を終了し、元の待機状態にリターンする。
【００４４】
〔第２実施形態による機器ＩＤの付与態様〕
図４〜図６は、この発明の第２実施形態による機器ＩＤの付与態様を説明するための図である。図４は、第２実施形態において、図１（２）と同様の機器構成でネットワークＣＮに接続された５台の電子音楽装置ＥＭ１〜ＥＭ５に機器ＩＤを付与する場合の説明図である。第２実施形態では、既述のように、各電子音楽装置ＥＭ１〜ＥＭ５に、ユーザが所有するユニークＩＤ付き非接触カード（物体）やユーザの身体部（生体）といったユーザに関する認証体ＡＵを使って、ＩＤ（物体情報）や特徴的生体情報（指紋情報など）のユーザに関する特徴的データを各電子音楽装置ＥＭ１〜ＥＭ５に運び、各電子音楽装置では、この特徴的データに基づいて認証体ＡＵが認証される度に、既に付与された機器ＩＤよりカウントアップした機器ＩＤが付与される。図４の例では、〔１〕→〔２〕→…→〔５〕の順で、認証体ＡＵを各電子音楽装置ＥＭ１〜ＥＭ５に認証させ、図２（１）と同様に、夫々に機器ＩＤ＝「０」〜「４」を付与する。
【００４５】
ここで、「認証する」とは、ユーザに関する認証体ＡＵから抽出（検出）された特徴的な情報と予めユーザに対応して登録されている検証用基準情報とが一致することを確認することをいう。例えば、非接触カードなどの物体認証体ＡＵであれば、各電子音楽装置ＥＭのリーダー部に近付けたときに、各電子音楽装置ＥＭが、この物体認証体（非接触カード）に記録されたＩＤ情報を読み取り、このユーザに関して予め登録されている認証用基準ＩＤ情報と照合して両ＩＤ情報の一致を確認することである。また、ユーザの指などの生体認証体ＡＵであれば、各電子音楽装置ＥＭのリーダー部に指を当てたときに、各電子音楽装置ＥＭが、この物体認証体（ユーザの指）から特徴的指紋情報を読み取り、このユーザに関して予め登録されている認証用基準指紋情報（指紋パターン）と照合して両指紋情報の一致を確認することである。
【００４６】
図５の機器ＩＤ付与手順例に従ってより詳しく説明する。この例では、説明を簡単にするために、電子音楽システムの構成要素になり得る電子音楽装置として、３台の電子音楽装置ＥＭＡ〜ＥＭＣ（「電子音楽装置Ａ」〜「電子音楽装置Ｃ」）がネットワークで接続されているものとする。これらの電子音楽装置ＥＭＡ〜ＥＭＣは、予め、この電子音楽システムを利用するユーザに対応して、所定のＩＤ情報／特徴的な生体情報を認証用基準情報として記憶装置４の基準情報記憶領域に記憶している。ユーザは、ユーザ自身に関する認証体（所定のＩＤ情報を記録したＩＤカード等のユーザ所有の物的認証体／ユーザの指などの生体的認証体）ＡＵを、順次、各電子音楽装置ＥＭＡ〜ＥＭＣの認証体読取り部近傍に接近させる。各電子音楽装置ＥＭＡ〜ＥＭＣは、認証体ＡＵから読み取られたユーザに関する特徴的情報（ＩＤ情報／特徴的生体情報）及び予め用意された認証用基準情報（認証用基準ＩＤ情報／認証用基準生体情報）に基づいて認証処理〔物体認証処理／生体認証処理（指紋認証処理など）〕を行う。そして、認証処理を行うによって認証体ＡＵを認証する毎に、他の電子音楽装置に機器ＩＤの付与状況を問い合わせ、認証した時点で他の電子音楽装置に付与されている機器ＩＤの値より「＋１」だけカウントアップした値を、認証をした電子音楽装置の機器ＩＤとして記憶装置４の機器ＩＤ記憶領域に登録する。
【００４７】
例えば、図５（１）のように、まず第１電子音楽装置（「電子音楽装置Ａ」）ＥＭＡが認証体ＡＵを検証すると、第１電子音楽装置ＥＭＡは、（１）第２電子音楽装置（「電子音楽装置Ｂ」）ＥＭＢにＩＤ付与状況を問い合わせて回答「未付与」を受け、同様に、（２）第３電子音楽装置（「電子音楽装置Ｃ」）ＥＭＣにＩＤ付与状況を問い合わせて回答「未付与」を受けると、ＩＤが付与された電子音楽装置が他にないので、（３）自身の機器ＩＤとして特定の値＝「０」を新たに付与し、自身をマスター装置に設定する。次に、図５（２）のように、第２電子音楽装置ＥＭＢが認証体ＡＵを検証すると、第２電子音楽装置ＥＭＢは、（１）第１電子音楽装置ＥＭＢにＩＤ付与状況を問い合わせて付与済み機器ＩＤ値＝「０」の回答を受けると共に、（２）第３電子音楽装置ＥＭＣへのＩＤ付与状況問合せで回答「未付与」を受けると、最大の付与済み機器ＩＤ値が「０」なので、（３）自身の機器ＩＤとして「０」＋「１」＝「１」を新たに付与し、自身を第１順位のスレーブ装置に設定する。さらに、第３電子音楽装置ＥＭＣが認証体ＡＵを検証した場合は（図示せず）、第３電子音楽装置ＥＭＣは、ＩＤ付与状況の問合せに対して第１及び第２電子音楽装置ＥＭＡ，ＥＭＢから夫々付与済み機器ＩＤ値＝「０」，「１」の回答を受けるので、最大の付与済み機器ＩＤ値＝「１」から「＋１」だけカウントアップした機器ＩＤ値＝「２」を自身に付与し、自身を第２順位のスレーブ装置に設定する。
【００４８】
図６に示すフローチャートは、第２実施形態における各電子音楽装置ＥＭａの機器ＩＤ付与処理フロー及びこれに対する他の電子音楽装置ＥＭｅの応答処理フローである。この電子音楽装置ＥＭが各種処理モードを待機している状態において、設定操作子１４中の機器ＩＤ付与処理モードスイッチが操作されると、ＣＰＵ１は、この機器ＩＤ付与処理を開始し、まず、最初のステップＡ１で、物体／人体認証体ＡＵを検出したか否かを判定する。ここで、認証体ＡＵを検出しないときは（Ａ１＝ＮＯ）、直ちに、この機器ＩＤ付与処理を終了し、元の待機状態にリターンする。
【００４９】
一方、物体／人体認証体ＡＵが認証体読取り部近傍に接近したことを検出したときは（Ｓ１＝ＹＥＳ）、ステップＡ２に進み、認証体ＡＵから物体／人体情報入力回路１１を通じて入力された物体情報／生体情報からユーザに関する特徴的な情報〔非接触ＩＤカードのような物体認証体ＡＵではＩＤ情報、ユーザの指のような生体認証体ＡＵでは特徴的生体情報（特徴的指紋情報）〕を抽出し、これを取得してＲＡＭ２の所定領域に保持する。
【００５０】
次のステップＡ３では、認証体ＡＵから取得した特徴的情報（ＩＤ情報や特徴的生体情報）と、予め登録してある認証用基準情報（認証用基準ＩＤ情報や認証用基準生体情報）とを比較し、続くステップＡ４で、両情報が一致しているか否かを判定する。ここで、両情報が一致しているとき即ちユーザに関する認証がなされたときは（Ａ４＝ＹＥＳ）、ステップＡ５に進んで、ネットワークＣＮに接続された他の電子音楽装置ＥＭｅに機器ＩＤの登録状況を問い合わせる。他の電子音楽装置ＥＭｅは、これに応じて、電子音楽装置ＥＭａからの問合せに対する応答処理を開始し、ステップＥ１にて、現在、当電子音楽装置ＥＭｅの機器ＩＤが登録されている場合は、機器ＩＤ記憶手段に登録されている機器ＩＤの値を返信し、機器ＩＤが登録されていない場合には、機器ＩＤが未付与である旨を返信する。そして、電子音楽装置ＥＭａに対応する応答処理を終了する。
【００５１】
これに対して、ユーザに関する認証を行った電子音楽装置ＥＭａは、問い合わせに対する回答を他の全ての電子音楽装置ＥＭｅから受信すると、ステップＡ６で、他の電子音楽装置ＥＭｅから受信した回答を調べ、他の全ての電子音楽装置ＥＭｅにおいて未だ機器ＩＤが付与されていない場合は、自身の機器ＩＤとして特定の値＝「０」を付与し、自身をマスター装置に設定する。また、機器ＩＤが付与されている電子音楽装置ＥＭｅがある場合には、現在付与されている機器ＩＤの値のうち最も大きい機器ＩＤ値に「＋１」を加えた値を、この電子音楽装置ＥＭａの機器ＩＤとして、記憶装置４の機器ＩＤ記憶領域に認証用基準情報とセットで登録する。
【００５２】
ステップＡ４の判定で、認証体ＡＵから取得した特徴的情報と、予め登録してある認証用基準情報とが一致しないと判定したときは（Ｓ４＝ＮＯ）、ステップＳ７に進んで、ディスプレイ１５乃至サウンドシステム１６を通じて、認証に失敗した旨をユーザに報知するる。このステップＡ７では、必要に応じて、ステップＡ２で認証体ＡＵから取得した抽出情報を認証用基準情報として基準情報記憶領域に登録する。ステップＡ６でのＩＤ登録処理或いはステップＡ７での認証失敗後処理を終えると、ＲＡＭ２上の特徴的情報記憶領域をクリアしてこの機器ＩＤ付与処理を終了し、元の待機状態にリターンする。
【００５３】
ステップＡ６では、機器ＩＤを認証用基準情報とセットで登録しておくと、１つのネットワークＣＮ内に存在する複数の電子音楽装置をユーザ毎の認証用基準情報でグループ化し、各グループ内で任意に機器ＩＤを付与することができる。つまり、電子音楽装置の制御の際に、例えば、或るユーザに対応する認証用基準情報を指定し、指定された認証用基準情報とセットで登録された機器ＩＤに従って電子音楽システムの機器構成を特定すると、当該ユーザに対応する同一の認証用基準情報で機器ＩＤが登録されたグループの電子音楽装置のみが制御の対象となり、簡単にユーザ毎のグループ化を行うことができる。
【００５４】
なお、実施形態２で、認証体ＡＵにＩＤカードを用いて物体認証毎に値を更新して機器ＩＤを付与する方式では、前述した可搬メディアＭＭ内のＩＤカウンタＣＴの更新態様を併用してもよい。ＩＤカウンタＣＴを用いるメリットは、どの値まで機器ＩＤが付与されたかを可搬メディアＭＭが覚えている点である。従って、物体認証毎に値を更新するＩＤカウンタＣＴをＩＤカードＡＵに内蔵させ、物体認証が成功したときにＩＤカウンタＣＴの値をも参照して新たな機器ＩＤを決定し、これを登録するように構成すると、機器ＩＤ付与済みの電子音楽装置が一時的にネットワークＣＮから外れた後、他の電子音楽装置に機器ＩＤを付与しようとした場合であっても、外れた電子音楽装置に付与された機器ＩＤと同一値の機器ＩＤを付与せず、新規な値の機器ＩＤを付与することができる。
【００５５】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、機器ＩＤの付与に際し、実施例では、ＩＤカウンタの値を「＋１」ずつアップしたが、「−１」ずつダウンしてもよい。また、飛び飛びの値でアップ又はダウンしていってもよいし、ＩＤカウンタの値に数字ではなく文字や記号を用いてこれらの値に予め順位付けをしておき（例えば、アルファベット順の文字、５０音順の仮名など）、認識毎或いは認証毎に下の順位の値に更新するようにしてもよい。
【００５６】
各電子音楽装置に付与された機器ＩＤについては、各装置の電源をオフした後でも、夫々の装置が覚えておくようにしてもよいし、各装置の電源オフに応じて当該装置の機器ＩＤを消去してもよい。また、何れにするかをユーザが選択できるようにしてもよい。
【符号の説明】
【００５７】
ＥＭ：ＥＭａ，ＥＭｅ；ＥＭ１〜ＥＭ５；ＥＭＡ〜ＥＭＣ  電子音楽装置、
ＭＭ  ＩＤカウンタＣＴを内蔵したＩＤ付与用可搬メディア（ＵＳＢメモリ等）、
ＡＵ  物体／生体認証体（ユニークＩＤ付き非接触カード等）。
【図１】
2010160180.tif 000003
【図２】
2010160180.tif 000004
【図３】
2010160180.tif 000005
【図４】
2010160180.tif 000006
【図５】
2010160180.tif 000007
【図６】
2010160180.tif 000008